(57)【要約】【課題】スライドバーの摺動性を高めることができる建具を提供する。【解決手段】建具は、枠体と、枠体の内部に開閉自在に設けられた障子と、を備えた建具であって、枠体及び障子の框体のいずれか一方に設けられ、固定側係合部が設けられた係合部材と、枠体及び框体の他方に設けられ係合部材と対向する取付面１３０ａに、取付面１３０ａの延在方向に沿って移動可能に設けられるとともに、固定側係合部と係合可能な移動側係合部が設けられたスライドバー４０と、スライドバー４０に挿入されるとともに、取付面１３０ａに沿って摺動し、樹脂材料で形成された摺動面５２０ａを有する摺動部材５０と、を備えることを特徴とする。【選択図】図６
2020101032.tif 000002
【特許請求の範囲】
【請求項１】
枠体と、
該枠体の内部に開閉自在に設けられた障子と、を備えた建具であって、
前記枠体及び前記障子の框体のいずれか一方に設けられ、固定側係合部が設けられた係合部材と、
前記枠体及び前記框体の他方に設けられ前記係合部材と対向する取付面に、該取付面の延在方向に沿って移動可能に設けられるとともに、前記固定側係合部と係合可能な移動側係合部が設けられたスライドバーと、
該スライドバーに挿入されるとともに、前記取付面に沿って摺動し、樹脂材料で形成された摺動面を有する摺動部材と、を備えることを特徴とする建具。
【請求項２】
前記取付面は前記枠体に設けられ、
前記取付面には、前記框体側に突出する枠側係合部が設けられ、
前記スライドバーは、
前記移動側係合部が設けられたスライド本体部と、
該スライド本体部に設けられ、前記枠側係合部と係合されるスライド側係合部と、を有し、
該スライド側係合部は、前記取付面に沿って移動可能に設けられている請求項１に記載の建具。
【請求項３】
前記枠側係合部は、屋内外方向に離間して一対設けられ、
前記摺動部材は、
一対の前記枠側係合部のうち一方の前記枠側係合部の端部と前記スライド本体部の端部との隙間に配置され、前記スライド本体部の屋内外方向への移動を規制する移動規制部を有する請求項２に記載の建具。
【請求項４】
前記摺動部材は、前記枠側係合部のうち他方の前記枠側係合部に係合する係合溝を有し、
該係合溝は、前記スライド側係合部と連続して配置されている請求項３に記載の建具。
【請求項５】
前記スライド側係合部は、屋内外方向に離間して一対設けられ、
前記スライド本体部及び一対の前記スライド側係合部により、凹部が形成され、
前記摺動部材は、
前記枠体の延在方向の端部に配置される基部と、
該基部から延び、前記凹部に挿入される挿入部と、
前記基部から延び、該挿入部よりも前記框体側に配置され、前記挿入部との間で前記スライドバーを挟み込むカバー部と、を有し、
該カバー部の屋外側の端部には、屋内側に向かって凹む切り欠きが形成されている請求項２から４のいずれか一項に記載の建具。
【請求項６】
前記摺動面は、前記スライド本体部よりも前記取付面側に突出している請求項２から５のいずれか一項に記載の建具。
【請求項７】
前記スライドバーには、係止孔が形成され、
前記摺動部材には、前記係止孔に係止される突起が設けられている請求項１から６のいずれか一項に記載の建具。
【発明の詳細な説明】
【技術分野】
【０００１】
本発明は、建具に関する。
【背景技術】
【０００２】
従来から、障子の吊元側に上下方向を向く回動軸が設けられ、オペレータハンドルの操作により、障子が回動軸を中心として回動しながら移動することで開口部を開閉するように構成された縦辷り出し窓等の建具が知られている（下記の特許文献１参照）。
【０００３】
また、上記の建具には、枠体の延在方向に沿って移動可能に設けられたスライドバーと、スライドバーの位置を操作するロックハンドルと、障子に設けられたロック部材と、を備えたロック機構が設けられている。ロックハンドルを操作してスライドバーを移動させ、スライドバーに設けられたロックピンが障子のロック部材に形成された係合溝に係合すると、障子が施錠される。また、ロックハンドルを操作してスライドバーを移動させ、スライドバーに設けられたロックピンが障子のロック部材に形成された係合溝から外れると、障子は解錠される。
【先行技術文献】
【特許文献】
【０００４】
【特許文献１】特開２００８−２８０７９３号公報
【発明の概要】
【発明が解決しようとする課題】
【０００５】
上記に示す建具では、金属材料で形成されたスライドバーが金属材料で形成された枠体に沿って移動する際に、金属材料どうしが擦れる音が発生したり、ガタついたりするため、スライドバーの摺動性を高めることが望まれている。
【０００６】
そこで、本発明は、上記事情に鑑みてなされたものであり、スライドバーの摺動性を高めることができる建具を提供する。
【課題を解決するための手段】
【０００７】
上記目的を達成するために、本発明は以下の手段を採用している。
すなわち、本発明に係る建具は、枠体と、該枠体の内部に開閉自在に設けられた障子と、を備えた建具であって、前記枠体及び前記障子の框体のいずれか一方に設けられ、固定側係合部が設けられた係合部材と、前記枠体及び前記框体の他方に設けられ前記係合部材と対向する取付面に、該取付面の延在方向に沿って移動可能に設けられるとともに、前記固定側係合部と係合可能な移動側係合部が設けられたスライドバーと、該スライドバーに挿入されるとともに、前記取付面に沿って摺動し、樹脂材料で形成された摺動面を有する摺動部材と、を備えることを特徴とする。
【０００８】
また、本発明に係る建具は、前記取付面は前記枠体に設けられ、前記取付面には、前記框体側に突出する枠側係合部が設けられ、前記スライドバーは、前記移動側係合部が設けられたスライド本体部と、該スライド本体部に設けられ、前記枠側係合部と係合されるスライド側係合部と、を有し、該スライド側係合部は、前記取付面に沿って移動可能に設けられていることが好ましい。
【０００９】
また、本発明に係る建具では、前記枠側係合部は、屋内外方向に離間して一対設けられ、
前記摺動部材は、一対の前記枠側係合部のうち一方の前記枠側係合部の端部と前記スライド本体部の端部との隙間に配置され、前記スライド本体部の屋内外方向への移動を規制する移動規制部を有していてもよい。
【００１０】
また、本発明に係る建具では、前記摺動部材は、前記枠側係合部のうち他方の前記枠側係合部に係合する係合溝を有し、該係合溝は、前記スライド側係合部と連続して配置されていてもよい。
【００１１】
また、本発明に係る建具では、前記スライド側係合部は、屋内外方向に離間して一対設けられ、前記スライド本体部及び一対の前記スライド側係合部により、凹部が形成され、前記摺動部材は、前記枠体の延在方向の端部に配置される基部と、該基部から延び、前記凹部に挿入される挿入部と、前記基部から延び、該挿入部よりも前記框体側に配置され、前記挿入部との間で前記スライドバーを挟み込むカバー部と、を有し、該カバー部の屋外側の端部には、屋内側に向かって凹む切り欠きが形成されていてもよい。
【００１２】
また、本発明に係る建具では、前記摺動面は、前記スライド本体部よりも前記取付面側に突出していてもよい。
【００１３】
また、本発明に係る建具は、前記スライドバーには、係止孔が形成され、前記摺動部材には、前記係止孔に係止される突起が設けられていてもよい。
【発明の効果】
【００１４】
本発明に係る建具によれば、スライドバーの摺動性を高めることができる。
【図面の簡単な説明】
【００１５】
【図１】本発明の一実施形態に係る建具を屋内側から見た模式的な斜視図である。
【図２】本発明の一実施形態に係る建具の鉛直断面図である。
【図３】本発明の一実施形態に係る建具の水平断面図である。
【図４】本発明の一実施形態に係る建具の係合部材の拡大図である。
【図５】本発明の一実施形態に係る建具を縦枠の斜視図である。
【図６】図５のＡ−Ａ線断面図である。
【図７】本発明の一実施形態に係る建具の摺動部材を示す斜視図である。
【図８】本発明の一実施形態に係る建具の摺動部材のスライドバーへの取付構成を示す斜視図であり、左右方向の中央側から見た斜視図である。
【図９】本発明の一実施形態に係る建具の摺動部材のスライドバーへの取付構成を示す斜視図であり、左右方向の端部側から見た斜視図である。
【図１０】本発明の一実施形態に係る建具のスライドバーの枠体への取付方法を説明する図である。
【図１１】本発明の一実施形態に係る建具の摺動部材の枠体への取付方法を説明する図である。
【発明を実施するための形態】
【００１６】
以下、本発明の一実施形態に係る建具の一例として、縦辷り出し窓について図面を基づいて説明する。
図１は、本発明の一実施形態に係る建具を屋内側から見た模式的な斜視図である。図２は、本発明の一実施形態に係る建具の鉛直断面図である。図３は、本発明の一実施形態に係る建具の水平断面図である。
図１から図３に示すように、縦辷り出し窓１００は、建築物の壁部に形成された開口部Ｗに設けられ、四角形枠状に形成された枠体１と、枠体１内に上下方向を軸線方向として回動可能に納められた障子２と、を備えている。
【００１７】
本実施形態では、図１に示すように、障子２は屋内側から見て左側が吊元側とされ、右側が開閉される戸先側とされている。
【００１８】
なお、以下の説明において、屋外側と屋内側とを結ぶ方向を屋内外方向と称する。壁部に設けられた縦辷り出し窓を屋内側から見たときに、上下となる方向を上下方向、左右となる方向を左右方向と称する。
【００１９】
図２及び図３に示すように、枠体１は、屋外側に配置されアルミ合金等の金属材料で形成された金属枠１Ａと、屋内側に配置され合成樹脂材料で形成された樹脂枠１Ｂと、が連結されて構成されている。
【００２０】
枠体１は、左右方向に延在する上枠１１及び下枠１２と、上枠１１の左右方向の両端部と下枠１２の左右方向の両端部とをそれぞれ連結し上下方向に延在する縦枠１３と、を有している。
【００２１】
図２に示すように、上枠１１は、屋外側に配置された金属上枠１１Ａと、屋内側に配置された樹脂上枠１１Ｂと、を有している。下枠１２は、屋外側に配置された金属下枠１２Ａと、屋内側に配置された樹脂下枠１２Ｂと、を有している。
【００２２】
樹脂下枠１２Ｂには、障子２を開閉操作するオペレータハンドルＨが設けられている。図１に示すように、オペレータハンドルＨの回動により、（屋内側から見て）左側の吊元側に設けられたアーム（不図示。以下同じ。）に案内されて、障子２の右側の戸先側を開閉できるように構成されている。
【００２３】
図３に示すように、吊元側（左側）の縦枠１３を縦枠１３Ｘと称し、戸先側（右側）の縦枠１３を縦枠１３Ｙと称することがある。縦枠１３は、屋外側に配置された金属縦枠１３Ａと、屋内側に配置された樹脂縦枠１３Ｂと、を有している。
【００２４】
図１に示すように、縦枠１３Ｙには、後述する框体２０の縦框２３のロック部材３０（図４参照。以下同じ。）と係合可能なスライド体４が設けられている。また、縦枠１３Ｙには、スライド体４を上下方向に移動させて、ロック部材３０と係合及び解除するためのロックハンドルＬが設けられている。
【００２５】
図１から図３に示すように、障子２は、四角形状に形成された框体２０と、框体２０内に嵌め込まれたガラス２９と、を有している。
【００２６】
框体２０は、左右方向に延在する上框２１及び下框２２と、上框２１の左右方向の両端部と下框２２の左右方向の両端部とをそれぞれ連結し上下方向に延在する縦框２３と、を有している。
【００２７】
上框２１、下框２２及び縦框２３には、ガラス２９の端面から離間するように凹む断面視コ字状のガラス保持溝２６が形成されている。ガラス２９の端面は、断面略Ｕ字状のグレージングチャンネル２７を介して、ガラス保持溝２６に収容されている。
【００２８】
図４は、縦框２３に設けられたロック部材３０の拡大図である。
図４に示すように、縦框２３の端面（縦枠１３側を向く面）には、ロック部材（係合部材）３０が設けられている。ロック部材３０は、上下方向に長い形状をなしている。ロック部材３０には、後述するスライドバー４０のロックピン４１１，４１２（図５参照。以下同じ。）の頭部が移動できる長穴３１が形成されている。
【００２９】
長穴３１は、上下方向に沿って形成されている。長穴３１の下部は、ロックピン４１１，４１２が通過できるように屋内側に向かって切り欠かれて開口部３２が形成されている。
【００３０】
次に、スライド体４の縦枠１３への取付構成について詳細に説明する。
図５は、戸先側の縦枠１３Ｙの金属縦枠１３Ａの斜視図である。
まず、スライド体４が取り付けられる縦枠１３Ｙの金属縦枠１３Ａの構成について説明する。
図５に示すように、戸先側の縦枠１３Ｙの金属縦枠１３Ａは、取付面部１３０を有している。取付面部１３０は、板状に形成されている。取付面部１３０は、板厚方向を左右方向に向けて配置されている。取付面部１３０は、ロック部材３０と対向している。
【００３１】
取付面部１３０における左右方向の中央側（縦框２３側）と対向する面（取付面）１３０ａには、左右方向の中央側に向かって突出する一対の枠側係合部１３１，１３６が設けられている。
【００３２】
一対の枠側係合部１３１，１３６は、屋内外方向に離間して設けられている。枠側係合部１３１は、枠側係合部１３６よりも屋外側に配置されている。
【００３３】
図６は、図５のＡ−Ａ線断面図である。
図６に示すように、枠側係合部１３１は、突出壁部１３２と、折曲壁部１３３と、折曲片１３４と、を有している。突出壁部１３２は、取付面部１３０から左右方向の中央側に向かって突出している。折曲壁部１３３は、突出壁部１３２の左右方向の中央側の端部から屋内側に向かって延びている。折曲片１３４は、折曲壁部１３３の屋内側の端部から左右方向の端部側（中央側と反対側）に向かって延びている。
【００３４】
枠側係合部１３６は、突出壁部１３７と、折曲壁部１３８と、折曲片１３９と、を有している。突出壁部１３７は、取付面部１３０から左右方向の中央側に向かって突出している。折曲壁部１３８は、突出壁部１３７の左右方向の中央側の端部から屋外側に向かって延びている。折曲片１３９は、折曲壁部１３８の屋外側の端部から左右方向の端部側に向かって延びている。
【００３５】
次に、スライド体４について説明する。
図５に示すように、スライド体４は、スライドバー４０と、スライドバー４０の上下端部にそれぞれ設けられたガイドピース（摺動部材）５０と、を有している。スライドバー４０は、金属材料で形成されている。ガイドピース５０は、ＰＯＭ（ポリアセタール）のような合成樹脂材料で形成されている。
【００３６】
スライドバー４０は、縦枠１３の面１３０ａに、上下方向（面の延在方向）に沿って移動可能に設けられている。スライドバー４０は、上下方向に長い形状をなしている。
【００３７】
図６に示すように、スライドバー４０は、スライド本体部４１と、スライド側係合部４２，４３と、を有している。
【００３８】
スライド本体部４１は、板状に形成されている。スライド本体部４１は、板厚方向を左右方向に向けて配置されている。
【００３９】
図５に示すように、スライド本体部４１の上部及び下部には、ロックピン（移動側係合部）４１１，４１２がそれぞれ設けられている。ロックピン４１１，４１２は、障子２のロックピン４１１，４１２にそれぞれ対応する部分に設けられたロック部材３０の開口部３２（図４参照。以下同じ。）を通過して、長穴３１を上下方向に移動可能とされている。ロックピン４１１，４１２の頭部が長穴（固定側係合部）３１（図４参照。以下同じ。）の上端部に係合して、障子２が施錠される。
【００４０】
スライド本体部４１において、ロックピン４１２よりも下方には、駆動ピン４１３が設けられている。ロックハンドルＬ（図１参照。以下同じ。）の操作により駆動レバー（不図示。以下同じ。）が回動し、駆動レバーに形成された穴に駆動ピン４１３が挿入されることで、スライドバー４０が上下方向に沿って移動可能となるように構成されている。
【００４１】
スライド本体部４１において、ロックピン４１１よりも上方及び駆動ピン４１３よりも下方には、係止孔４１５がそれぞれ形成されている。係止孔４１５は、スライド本体部４１を板厚方向に貫通して形成されている。左右方向の中央側から見て、係止孔４１５は、屋内外方向に長い矩形状をなしている。
【００４２】
図６に示すように、スライド側係合部４２，４３は、スライド本体部４１の屋外側の端部近傍及び屋内側の端部にそれぞれ設けられている。
【００４３】
スライド側係合部４２は、スライド本体部４１の屋外側の端部よりもわずかの屋内側の位置に設けられている。スライド側係合部４２は、外向き壁部４２１と、係止壁部４２２と、を有している。外向き壁部４２１は、スライド本体部４１から左右方向の端部側に向かって延びている。係止壁部４２２は、外向き壁部４２１の左右方向の端部から屋外側に向かって延びている。
【００４４】
スライド本体部４１の屋外側の端部４１ｂ、外向き壁部４２１及び係止壁部４２２により、屋内側に向かって凹むスライド側係合溝４２３が形成されている。スライド側係合溝４２３には、縦枠１３の枠側係合部１３１の折曲壁部１３３及び折曲片１３４が係合されている。
【００４５】
スライド側係合部４３は、スライド本体部４１の屋内側の端部に設けられている。スライド側係合部４３は、外向き壁部４２６と、係止壁部４２７と、係止片４２８と、を有している。外向き壁部４２６は、スライド本体部４１から左右方向の端部側に向かって延びている。係止壁部４２７は、外向き壁部４２６の左右方向の端部から屋内側に向かって延びている。係止片４２８は、係止壁部４２７の屋内側の端部から左右方向の中央側に向かって延びている。
【００４６】
スライド本体部４１及び外向き壁部４２１，４２６により、後述するガイドピース５０の挿入部５３が挿入可能な挿入凹部（凹部）４４が形成されている。
【００４７】
スライドバー４０のスライド側係合部４２は、縦枠１３の取付面部１３０と折曲片１３４との間に配置されている。スライドバー４０のスライド側係合部４３は、縦枠１３の取付面部１３０と折曲片１３９との間に配置されている。スライド側係合部４２，４３と縦枠１３の取付面部１３０との間、及びスライド側係合部４２，４３と折曲片１３４，１３９との間には、それぞれ僅かに隙間が形成されている。これにより、スライドバー４０は、縦枠１３の面１３０ａに沿って上下方向に移動可能とされている。
【００４８】
スライドバー４０の係止片４２８は、縦枠１３の折曲片１３９と屋内外方向に重なって配置され、折曲片１３９に係合されている。これにより、スライドバー４０が屋外側に移動しても、スライドバー４０の係止片４２８が縦枠１３の折曲片１３９に当接すると移動が規制される。
【００４９】
図７は、ガイドピース５０を示す斜視図である。
以下において、スライドバー４０の上端部に設けられたガイドピース５０について説明する。スライドバー４０の下端部に設けられたガイドピース５０は、上端部に設けられたガイドピース５０を上下反転させた構成であり、説明を省略する。
図７に示すように、ガイドピース５０は、基部５１と、摺動部５２と、挿入部５３と、カバー部５４と、移動規制部５５と、を有している。
【００５０】
図８及び図９は、ガイドピース５０のスライドバー４０への取付構成を示す斜視図である。図８は左右方向の中央側から見た斜視図であり、図９は左右方向の端部側から見た斜視図である。
図７に示すように、基部５１は、ガイドピース５０の上端部に配置されている。図８及び図９に示すように、基部５１は、スライドバー４０の上面４０ｕに当接配置されている。
【００５１】
図９に示すように、摺動部５２は、基部５１の屋外側の端部及び屋内側の端部に、それぞれ設けられている。摺動部５２は、基部５１から左右方向の端部側に突出している。
【００５２】
摺動部５２は、左右方向の端部側を向く面５２０ａ（摺動面）を有している。摺動部５２の面５２０ａは、平面状に形成されている。摺動部５２の面５２０ａは、スライドバー４０の上方に配置されている。
【００５３】
図６に示すように、摺動部５２の面５２０ａは、縦枠１３の面１３０ａに当接していて、面１３０ａに沿って摺動可能とされている。摺動部５２の面５２０ａは、スライドバー４０のスライド側係合部４２，４３よりも、左右方向の端部側（縦枠１３の面１３０ａ側）にわずかに突出している。これにより、スライドバー４０のスライド側係合部４２，４３が縦枠１３の取付面部１３０の面１３０ａに当接することがない。
【００５４】
スライドバー４０は金属材料で形成され、ガイドピース５０は合成樹脂材料で形成されていることにより、摺動部５２の面５２０ａはスライドバー４０よりも摺動性が良い。
【００５５】
図７に示すように、屋外側の摺動部５２と基部５１との間には、屋内側に向かって凹む係合溝５６が形成されている。図６に示すように、係合溝５６には、縦枠１３の枠側係合部１３１の折曲壁部１３３及び折曲片１３４（図６参照）が係合されている。
【００５６】
係合溝５６は、スライド側係合部４２に連続して配置されている。詳細には、係合溝５６は、スライド側係合溝４２３の上方に、スライド側係合溝４２３と上下に連続して配置されている。
【００５７】
挿入部５３は、基部５１から下方に延びている。挿入部５３は、板状に形成されている。挿入部５３は、板厚方向を左右方向に向けて配置されている。挿入部５３は、左右方向から見て上下方向に長い略矩形状をなしている。
【００５８】
挿入部５３の左右方向の中央側を向く面５３ａにおいて、下端部には、下方に向かうにしたがって次第に左右方向の端部側を向かうテーパ面５３１が形成されている。図９に示すように、挿入部５３左右方向の端部側を向く面５３ｂにおいて、下端部には、下方に向かうにしたがって次第に左右方向の中央側を向かうテーパ面５３２が形成されている。
【００５９】
図７に示すように、挿入部５３の下端部において、屋外側の端部及び屋内側の端部には、それぞれ下方に向かうにしたがって次第に屋内外方向の中央側を向かうカット面５３３が形成されている。
【００６０】
図９に示すように、挿入部５３は、スライドバー４０の挿入凹部４４に挿入されている。挿入部５３の下端部にテーパ面５３１，５３２及びカット面５３３が形成されることで、挿入部５３を挿入凹部４４に上方から挿入する際に支障なく挿入することができる。
【００６１】
図７に示すように、挿入部５３の面５３ａには、左右方向の中央側に向かって突出する突起５３４が設けられている。左右方向の中央側から見て、突起５３４は、屋内外方向に長い略矩形状をなしている。
【００６２】
突起５３４の下端部には、下方に向かうにしたがって次第に左右方向の端部側を向かう突起テーパ面５３５が形成されている。
【００６３】
図８に示すように、突起５３４は、スライドバー４０の係止孔４１５に係止されている。ガイドピース５０を取り外す際に、突起５３４を左右方向の端部側に押すと、突起５３４に突起テーパ面５３５が形成されていることで突起５３４は左右方向の端部側に変位しやすく、係止孔４１５から抜けやすく構成されている。
【００６４】
図７に示すように、カバー部５４は、基部５１から下方に延びている。カバー部５４は、挿入部５３と左右方向に間隔を有して、左右方向の中央側（縦框２３側）に配置されている。カバー部５４の屋外側の端部には、屋内側に向かって凹む切り欠き５４１が形成されている。
【００６５】
図６に示すように、カバー部５４と挿入部５３との間に、スライドバー４０のスライド本体部４１が挟み込まれている。
【００６６】
移動規制部５５は、基部５１の屋内側の端部から左右方向の端部側に向かって延びている。移動規制部５５は、縦枠１３の枠側係合部１３６の折曲壁部１３８における屋外側を向く端部１３８ａとスライドバー４０のスライド本体部４１における屋内側を向く端部４１ａとの隙間に配置されている。これにより、移動規制部５５は、スライド本体部４１の屋内外方向への移動を規制している。
【００６７】
次に、スライドバー４０及びガイドピース５０の縦枠１３への取付方法について説明する。
図１０は、スライドバー４０の縦枠１３への取付方法を説明する図である。図１１は、ガイドピース５０の縦枠１３への取付方法を説明する図である。図１０及び図１１は、縦枠１３を水平断面図として記載している。
図１０に二点鎖線で示すように、スライドバー４０のスライド側係合部４３を縦枠１３の枠側係合部１３６に係合させる。図１０に実線で示すように、スライドバー４０の外向き壁部４２６が縦枠１３の折曲片１３９と当接するまで、スライドバー４０を屋内側に移動させる。
【００６８】
次に、スライドバー４０の上方及び下方において、ガイドピース５０を縦枠１３に係合させる。具体的には、図１１に実線で示すように、スライドバー４０を屋外側に移動させて、スライドバー４０のスライド側係合部４２，４３を縦枠１３の枠側係合部１３１，１３６にそれぞれ係合させる。図１１に二点鎖線で示すように、ガイドピース５０の屋外側の摺動部５２を、縦枠１３の取付面部１３０と枠側係合部１３１との間の隙間に挿入する。ガイドピース５０の屋外側の摺動部５２を中心として、ガイドピース５０を矢印で示す向きに回転させる。図１１に実線で示すように、ガイドピース５０の移動規制部５５を、縦枠１３の枠側係合部１３６の屋外側に嵌め込む。
【００６９】
次に、スライドバー４０の上方のガイドピース５０を下方に移動させ、スライドバー４０の下方のガイドピース５０を上方に移動させる。そして、ガイドピース５０の挿入部５３を、スライドバー４０の挿入凹部４４に挿入して、ガイドピース５０の突起５３４をスライドバー４０の係止孔４１５に係止させる。これにより、スライドバー４０及びガイドピース５０の縦枠１３への取り付けが完了する。
【００７０】
このように構成された縦辷り出し窓１００では、スライドバー４０は、縦枠１３の取付面部１３０の面１３０ａの延在方向である上下方向に沿って移動可能に設けられている。スライドバー４０に挿入されたガイドピース５０は、縦枠１３の取付面部１３０の面１３０ａに沿って摺動可能とされた面を有している。よって、スライドバー４０及びスライドバー４０に挿入されたガイドピース５０が縦枠１３の取付面部１３０の面１３０ａに沿って移動する際には、スライドバー４０よりも摺動性が良い面が縦枠１３の取付面部１３０の面１３０ａに沿って摺動するため、スライドバー４０の摺動性を高めることができる。
【００７１】
また、ガイドピース５０はスライドバー４０に挿入される構成であるため、ガイドピース５０をスライドバー４０に容易に取り付けることができる。
【００７２】
また、スライドバー４０のスライド側係合部４２，４３は、縦枠１３の枠側係合部１３１，１３６に、縦枠１３の取付面部１３０の面１３０ａに沿って移動可能に係合されている。よって、スライドバー４０は、縦枠１３の取付面部１３０の面１３０ａに沿って移動可能であるとともに、縦枠１３から外れることが抑制されている。
【００７３】
また、ガイドピース５０の移動規制部５５は、枠側係合部１３６の折曲壁部１３８における屋外側を向く端部１３８ａとスライドバー４０のスライド本体部４１における屋内側を向く端部４１ａとの隙間に配置されている。よって、スライドバー４０の屋内外方向の移動が規制されているため、スライドバー４０が縦枠１３の取付面部１３０の面１３０ａに沿って移動する際のがたつきが抑制される。
【００７４】
また、係合溝５６は、スライド側係合溝４２３の上方に、スライド側係合溝４２３と連続して配置されている。係合溝５６およびスライド側係合溝４２３には、縦枠１３の枠側係合部１３１の折曲壁部１３３及び折曲片１３４が係合されている。よって、スライドバー４０及びガイドピース５０が縦枠１３から外れることが抑制される。また、ガイドピース５０はスライドバー４０とともに、縦枠１３の取付面部１３０の面１３０ａに沿って円滑に移動する。
【００７５】
また、ガイドピース５０を縦枠１３Ｙの上下端部にそれぞれ配置して、挿入部５３をスライドバー４０の挿入凹部４４に挿入し、挿入部５３とカバー部５４とでスライドバー４０の上下端部を挟み込むようにすれば、スライドバー４０にガイドピース５０が取り付けられる。よって、スライドバー４０にガイドピース５０を簡易に取り付けることができる。
【００７６】
また、ガイドピース５０のカバー部５４の屋外側の端部には、屋内側に向かって凹む切り欠き５４１が形成されている。よって、挿入部５３に縦框２３側への力が作用して、カバー部５４の屋外側の端部に力が伝達されても、カバー部５４の屋外側の端部か損傷したり掛けたりすることが抑制される。
【００７７】
また、ガイドピース５０に設けられた突起５３４はスライドバー４０の係止孔４１５に係止されているため、ガイドピース５０がスライドバー４０から外れることが抑制される。
【００７８】
また、ガイドピース５０の面５２０ａは、スライドバー４０のスライド本体部４１及びスライド側係合部４２，４３よりも、縦枠１３の面１３０ａ側に突出している。よって、スライドバー４０のスライド本体部４１及びスライド側係合部４２，４３が縦枠１３の面１３０ａに当接することが抑制され、ガイドピース５０の面５２０ａを縦枠１３の面１３０ａ上に確実に当接させて摺動させることができる。
【００７９】
なお、上述した実施の形態において示した各構成部材の諸形状や組み合わせ等は一例であって、本発明の主旨から逸脱しない範囲において設計要求等に基づき種々変更可能である。
【００８０】
例えば、上記に示す実施形態では、縦滑り出し窓を例に挙げて説明したが、本発明はこれに限られず、横辷り出し窓や引違窓等の他の建具にも適用可能である。
【００８１】
また、上記に示す実施形態では、障子２にロック部材３０が設けられ、縦枠１３にスライドバー４０が設けられているが、本発明はこれに限られない。枠体１に係合部材が設けられ、障子２にスライドバー４０が設けられていてもよい。
【００８２】
また、上記に示す実施形態では、スライド側係合部４２，４３は、枠側係合部１３１，１３６に、取付面部１３０の面１３０ａに沿って移動可能に係合されているが、本発明はこれに限られず、スライドバーが取付面の延在方向に沿って移動可能に設けられていればよい。
【００８３】
また、上記に示す実施形態では、ガイドピース５０は、スライド本体部４１の屋内外方向への移動を規制する移動規制部５５を有しているが、本発明はこれに限られず、摺動部材が移動規制部を有さない構成であってもよい。
【００８４】
また、上記に示す実施形態では、ガイドピース５０には切り欠き５４１が形成されているが、本発明はこれに限られず、摺動部材に切り欠きが形成されていない構成であってもよい。
【００８５】
また、上記に示す実施形態では、ガイドピース５０の突起５３４はスライドバー４０の係止孔４１５に係止されているが、本発明はこれに限られない。摺動部材はスライドバーに挿入されていれば、摺動部材とスライドバーとの固定構成等は適宜選択可能である。
【符号の説明】
【００８６】
１…枠体
２…障子
４…スライド体
１１…上枠
１２…下枠
１３…縦枠
２０…框体
２１…上框
２２…下框
２３…縦框
３０…ロック部材（係合部材）
３１…長穴（固定側係合部）
４０…スライドバー
４１…スライド本体部
４２，４３…スライド側係合部
４４…挿入凹部（凹部）
５０…ガイドピース（摺動部材）
５１…基部
５２…摺動部
５３…挿入部
５４…カバー部
５５…移動規制部
５６…係合溝
１００…縦辷り出し窓（建具）
１３０…取付面部
１３０ａ…取付面部１３０の面（取付面）
１３１，１３６…枠側係合部
４１１，４１２…ロックピン（移動側係合部）
４１５…係止孔
４２１，４２６…外向き壁部
５２０ａ…摺動部の面（摺動面）
５３４…突起
５４１…切り欠き
Ｈ…オペレータハンドル
Ｌ…ロックハンドル
Ｗ…開口部
【図１】
2020101032.tif 000003
【図２】
2020101032.tif 000004
【図３】
2020101032.tif 000005
【図４】
2020101032.tif 000006
【図５】
2020101032.tif 000007
【図６】
2020101032.tif 000008
【図７】
2020101032.tif 000009
【図８】
2020101032.tif 000010
【図９】
2020101032.tif 000011
【図１０】
2020101032.tif 000012
【図１１】
2020101032.tif 000013